(57)【要約】【課題】本発明は、車両火災等に伴い高温の熱にさらされる状況下における被害を最小限に抑制しつつ、衝突等に伴い破損した場合であっても大きく重い飛散物が民地側に飛散することを抑制可能な路側設置用パネルの提供を目的とした。【解決手段】路側設置用パネル１は、一般道あるいは高速道路等の路Ｒの側方に設置されるものである。路側設置用パネル１０は、板ガラス１２及び網入り板ガラス１４を中間膜１６を介して貼り合わせた複合ガラス１０を枠体２０に嵌め込んだ構成とされている。また、複合ガラス１０は、板ガラス１２の厚みが網入り板ガラス１４の厚みよりも薄いものとされている。路側設置用パネル１は、板ガラス１２側が民地に向き、網入り板ガラス１４側が路Ｒに向くように複合ガラス１０を枠体２０に嵌め込んで設置される。【選択図】図１
2014029109.tif 000002
【特許請求の範囲】
【請求項１】
路の側方に設置される路側設置用パネルであって、
前記パネルが、板ガラス及び網入り板ガラスを中間膜を介して貼り合わせた複合ガラスを本体とし、前記板ガラス側が民地に向き、前記網入り板ガラス側が路に向くように設置されることを特徴とする路側設置用パネル。
【請求項２】
前記板ガラスの厚みが、前記網入り板ガラスの厚みよりも薄いことを特徴とする請求項１に記載の路側設置用パネル。
【請求項３】
前記板ガラスの厚みが、３ｍｍ以上８ｍｍ以下であることを特徴とする請求項１又は２に記載の路側設置用パネル。
【請求項４】
前記網入り板ガラスの厚みが、６ｍｍ以上１０ｍｍ以下であることを特徴とする請求項１〜３のいずれか１項に記載の路側設置用パネル。
【請求項５】
前記板ガラスが非強化ガラスであることを特徴とする請求項１〜４のいずれか1項に記載の路側設置用パネル。
【発明の詳細な説明】
【技術分野】
【０００１】
本発明は、人や乗り物が行き来する道路、通路、あるいは道床等の路の側方（路側）に配置される路側設置用パネルに関する。
【背景技術】
【０００２】
従来、車両の走行音等が民地側に漏洩することを防止すべく、透光性のパネルが道路の側方に設置されている。
下記特許文献１には、ポリカーボネート製の板材の周縁をパネル取付フレームに取付けたパネルが開示形成されている。
【０００３】
また、下記特許文献２には、網入り板ガラスと、板ガラスとを中間膜を介して貼り合わせた合わせガラスによって形成され、板ガラスを道路側に配置し、網入り板ガラスを民地側に配置して使用される道路用透光性パネルが開示されている。このパネルは、板ガラスを道路側に配置し、網入り板ガラスを民地側に配置したことにより、衝撃が大きすぎて網入りガラスまでが破損しても、中間膜の接着性と網入りガラスの網によって、破片が民地側へ飛散することを抑制できるとされている。
【先行技術文献】
【特許文献】
【０００４】
【特許文献１】特開平４−３０２６０８号公報
【特許文献２】特開２００７−１６９９５７号公報
【発明の概要】
【発明が解決しようとする課題】
【０００５】
しかしながら、上記特許文献１のようにポリカーボネート等の樹脂により路側設置用パネルを構成した場合には、車両火災等に伴う高温の熱により溶解して民地側に落下する等して、様々な問題を生じる可能性がある。
【０００６】
これに対し、特許文献２のように路側設置用パネルをガラスで構成することで、高温の熱にさらされても溶解して民地側に落下するなどの問題の発生を低減できる。しかしながら、本発明者らが鋭意検討したところ、網入り板ガラスと通常の板ガラスとを中間膜を介して貼り合わせた合わせガラスを特許文献２のように配置した場合には、車両衝突等に伴い破損した際に、民地側に飛散するガラス破片の観点において問題が生じる場合があることを見いだした。
【０００７】
具体的には、民地側への飛散物による二次災害を防止することを考慮すると、飛散物たるガラス破片の大きさは、可能な限り小さいものであることが望ましい。しかしながら、網入りガラスは強度が低いため板ガラスと比較して破損しやすく、ガラス破片も大きく重くなりやすい。従って、特許文献２のように民地側に網入りガラスが向くように合わせガラスを設置した場合には、網入りガラスが破損することにより大きく重い塊状のガラスが民地側に飛散することになり、二次被害が懸念される。
【０００８】
そこで、本発明は、車両火災等に伴い高温の熱にさらされる状況下における被害を最小限に抑制しつつ、衝突等に伴い破損した場合であっても大きく重い飛散物が民地側に飛散することを抑制可能な路側設置用パネルの提供を目的とした。
【課題を解決するための手段】
【０００９】
上述した課題を解決すべく提供される本発明は、路の側方に設置される路側設置用パネルであって、前記パネルが板ガラス及び網入り板ガラスを中間膜を介して貼り合わせた複合ガラスを本体とし、前記板ガラス側が民地に向き、前記網入り板ガラス側が路に向くように設置されることを特徴とするものである。
【００１０】
本発明においては、板ガラス及び網入り板ガラスを中間膜を介して貼り合わせた複合ガラスを、板ガラス側が民地に向き、網入り板ガラス側が路に向くように設置したことにより、路側設置用パネルに車両が衝突する等して複合ガラスが破損しても、後述する実施例に示すように、民地側に飛散するガラス片の重量、大きさを小さくでき、二次被害の発生を抑制できる。この理由は、板ガラスの破損によって発生したガラス片は、網入り板ガラスの破片よりも小さく軽量であり、更には、板ガラスと中間膜との間に作用している接着力により、ガラス片の重量、大きさ、飛散量を抑制する効果が高いものと想定される。
【００１１】
また、本発明の路側設置用パネルは、路に向く側が網入り板ガラスとされている。そのため、車両火災等に伴い高温の熱にさらされる状況下において破損した場合も、内部の網によって破損したガラス片が支持される。これにより、崩落あるいは開口部が形成されることを抑制し、ひいては開口部等を介して火の粉が侵入して延焼する等の二次的被害も防止できる。
【００１２】
本発明の路側設置用パネルは、あらゆる路の側方に設置可能なものであり、例えば一般道あるいは高速道路等の公道、私道、通路、あるいは駐車場等の人や車両が通行する路、あるいは鉄道の道床等において好適に設置可能である。
【００１３】
上述した本発明の路側設置用パネルは、前記板ガラスの厚みが、前記網入り板ガラスの厚みよりも薄いものであることが望ましい。
【００１４】
かかる構成とすることにより、車両の衝突等に伴って路側設置用パネルに衝撃が作用した際に、民地側に飛散するガラス片の重量を最小限に抑制することができる。
【００１５】
上述した本発明の路側設置用パネルは、前記板ガラスの厚みが、３ｍｍ以上８ｍｍ以下であることが望ましい。
【００１６】
かかる構成とすることにより、耐衝撃性あるいは強度等の路側設置用パネルとしての必要性能を確保しつつ、破損に伴い大きく重い飛散物が民地側に飛散することをより一層抑制することが可能となる。
【００１７】
上述した本発明の路側設置用パネルは、前記網入り板ガラスの厚みが、６ｍｍ以上１０ｍｍ以下であることが好ましい。
【００１８】
かかる構成とすることにより、耐衝撃性あるいは強度等の路側設置用パネルとしての必要性能をより一層確実に確保することが可能となる。
【発明の効果】
【００１９】
本発明によれば、車両火災等に伴い高温の熱にさらされる状況下における被害を最小限に抑制しつつ、衝突等に伴い破損した場合であっても大きく重い飛散物が民地側に飛散することを抑制可能な路側設置用パネルを提供できる。
【図面の簡単な説明】
【００２０】
【図１】（ａ）は本発明の一実施形態に係る路側設置用パネルの設置状態を示す斜視図、（ｂ）は複合ガラスを枠体に取り付けた状態を示す断面図である。
【図２】本発明の一実施形態に係る路側設置用パネルを破断した状態を示す斜視図である。
【発明を実施するための形態】
【００２１】
以下、本発明の一実施形態に係る路側設置用パネル１について、図面を参照しつつ詳細に説明する。図１に示すように、路側設置用パネル１は、路Ｒの側方に設置されるものである。路側設置用パネル１は、いわゆる一般道あるいは高速道路等の公道、私道、通路、あるいは駐車場等における車両の走行路、あるいは鉄道の道床等、あらゆる路Ｒの側方に設置可能である。この実施形態において、路側設置用パネル１は、複合ガラス１０と、この周縁に取り付けられた枠体２０とで形成されている。
【００２２】
図２に示すように、複合ガラス１０は、板ガラス１２及び網入り板ガラス１４を、中間膜１６を介して積層して貼り合わせた複合ガラス（合わせガラス）によって構成されている。板ガラス１２の厚みｄ１は、網入り板ガラス１４の厚みｄ２よりも薄い（ｄ１＜ｄ２）ことが好ましい。これによれば、民地側に飛散するガラス片の大きさ（重量）を最小限に抑制することができる。具体的には、板ガラス１２の厚みｄ１は、３ｍｍ以上８ｍｍ以下（３ｍｍ≦ｄ１≦８ｍｍ）が好ましく、３ｍｍ以上８ｍｍ未満（３ｍｍ≦ｄ１＜８ｍｍ）であることが更に好ましく、３ｍｍ以上６ｍｍ以下（３ｍｍ≦ｄ１≦６ｍｍ）であることがより一層好ましい。前記値が３ｍｍ未満であると強風にさらされた場合、板ガラスが割れやすくなり、８ｍｍを超えると飛散した場合のガラス片の量が多くなり好ましくない。更に使用するガラスの面積が大きくなると厚みが薄い場合割れやすい傾向にあるので、前記値は４ｍｍ以上６ｍｍ以下であることが最も好ましい。また、網入り板ガラス１４の厚みｄ２は、６ｍｍ以上１０ｍｍ以下（６ｍｍ≦ｄ２≦１０ｍｍ）の範囲内において、板ガラス１２の厚みｄ１よりも厚く設定されていることが好ましい。
【００２３】
板ガラス１２は、網等を封入しておらず、透光性を有する板状のガラスによって形成されている。板ガラス１２は、無色透明のものの他、有色であって透光性を有するもの等とすることが可能である。
【００２４】
前記板ガラス１２は特に限定はなくフロートガラス等の非強化ガラス、化学強化法や風冷強化法により得られる強化ガラス等が挙げられる。なかでも、非強化ガラスを用いることが飛散したガラス片の重量を最小限に抑制することができるので好ましい。なお、ここで非強化ガラスとは内部ひずみがゼロのものをいう。
【００２５】
本実施形態では、板ガラス１２として無色透明のものが採用されている。また、板ガラス１２の外表面が風雨や粉塵等にさらされること等を考慮し、外表面に防汚処理や撥水処理、又は親水処理等が施されたものとすることが可能である。また、紫外線や赤外線の吸収効果や防音効果等を向上させるために、種々の表面処理等を施したものとすることが可能である。
【００２６】
網入り板ガラス１４は、ガラスに網１８（ワイヤー）を封入したものである。網入り板ガラス１４は、線入りガラス、ワイヤー入りガラス、あるいは防火設備用ガラス等と称されるガラスによって構成されている。網入り板ガラス１４は、板ガラス１２と同様に無色透明のものが用いられているが、有色であって透光性を有するもの等とすることが可能である。また、網入り板ガラス１４は、表面が風雨、排気ガス、あるいは粉塵等にさらされるものであるため、防汚処理や撥水処理、又は親水処理等が施されたものとすることが可能である。また、網入り板ガラス１４についても、紫外線や赤外線の吸収効果や防音効果等を向上させるために、種々の表面処理等を施したものとすることが可能である。
【００２７】
中間膜１６は、板ガラス１２及び網入り板ガラス１４の間に介在している樹脂製の膜である。すなわち、中間膜１６の一方側の面に板ガラス１２が接着あるいは溶着等の手法によって取り付けられ、中間膜１６の他方側の面に網入り板ガラス１４が接着あるいは溶着等の手法によって取り付けられている。中間膜１６をなす樹脂は、熱可塑性樹脂、熱硬化性樹脂、紫外線硬化性樹脂等、適宜のものとすることができる。例えばポリビニルブチラール（ＰＶＢ）等のビニル系ポリマー等が具体的な一例として挙げられる。また、中間膜１６には、紫外線や赤外線の吸収効果、防音効果等の向上に資する素材を用いることが可能である。
【００２８】
中間膜の厚みは特に限定はしないが、０．７〜３．９ｍｍであることが好ましく、１．５〜３．１ｍｍがより好ましい。前記値が０．７ｍｍ未満であると衝撃の際に網入りガラスが破損し易くなり、３．９ｍｍを超えると経済的に好ましくない。
【００２９】
上記複合ガラス１０は、例えば以下のようにして製造することができる。すなわち、板ガラス１２及び網入り板ガラス１４のうちいずれか一方のガラスの上に、シート状の中間膜材料を置き、その上に他方のガラスを重ね合せ、ロールプレス法などにより加熱下で予備圧着させた後、１〜１２気圧、１２０〜１６０℃のオートクレーブ中で本圧着を行い、板ガラス１２と網入り板ガラス１４とを中間膜材料で接着させる方法や、板ガラス１２と網入り板ガラス１４との間に間隙を設け、その間隙に中間膜材料として、液状の紫外線硬化性組成物を注入し、紫外線を照射して中間膜材料を硬化させて中間膜を形成し、板ガラス１２と網入り板ガラス１４とを接着させる方法などがある。
【００３０】
本発明の路側設置用パネルは、図１（ｂ）に示すように、複合ガラス１０と、該複合ガラス１０を嵌め込み可能な溝２２が設けられた枠体２０とで構成され、枠体２０の溝２２に複合ガラス１０の周縁を嵌め込んでパネル化されている。なお、複合ガラス１０をそのまま路側設置用パネルとして用いてもよいが、取り付け作業性、強度等を考慮すると、複合ガラス１０の周縁に枠体２０を取り付けて用いることが好ましい。
【００３１】
枠体２０をなす素材は、強度等を考慮して金属製とすることが望ましいが、腐食等することを防止すべく、アルミニウム製等とすることが望ましい。
【００３２】
続いて、路側設置用パネル１の設置状態について、図１を参照して説明する。図１に示すように、路側設置用パネル１は、枠体２０に対して複合ガラス１０を嵌め込んだ状態で、路Ｒに沿って立設された支柱に対して設置される。路側設置用パネル１は、板ガラス１２側が民地に向き、網入り板ガラス１４側が路Ｒに向くように複合ガラス１０を嵌め込んだ状態で設置される。路側設置用パネル１を前述した支柱間に上下方向に積み重ねたものを路Ｒに沿って連続させることにより、路側壁３０を構成することができる。
【００３３】
上述したようにして路側設置用パネル１を設置することにより、車両の衝突等に伴って複合ガラス１０が破損しても、民地側に飛散するガラス片は、板ガラス１２の破損による小さな破片である。また、網入り板ガラス１４の破片は、板ガラス１２の破片よりも大きいが、中間膜１６を介して路Ｒ側において発生するため、民地側には飛散しがたい。さらに、板ガラス１２の破片は、網入り板ガラス１４の破片よりも小さく軽量であるため、板ガラス１２と中間膜１６との間に作用している接着力の影響により、ガラス片の飛散量を最小限に抑制できるものと想定される。従って、複合ガラス１０によれば、車両が衝突する等して破損した場合においても、民地側に大きく重い塊状のガラス片が飛散することによる二次被害の発生を抑制できる。また、路側設置用パネル１は、複合ガラス１０が用いられているため、車両火災等に伴い高温の熱にさらされる状況下において破損した場合も、内部の網１８により、破損したガラス片が支持される。これにより、複合ガラス１０が崩落すること、あるいは複合ガラス１０に開口部が形成されることを抑制し、ひいては開口部等を介して火の粉が侵入して延焼する等の二次的被害も防止できる。
【００３４】
また、複合ガラス１０の板ガラス１２の厚みｄ１を、網入り板ガラス１４の厚みｄ２よりも薄くすることで、車両の衝突等に伴って衝撃が作用した際に、民地側に飛散するガラス片の重量を最小限に抑制することができる。
【００３５】
また、複合ガラス１０は、板ガラス１２として厚みｄ１が３ｍｍ以上８ｍｍ以下のものを採用し、網入り板ガラス１４として厚みｄ２が６ｍｍ以上１０ｍｍ以下のものを採用することにより、耐衝撃性あるいは強度等の路側設置用パネルとしての必要性能をより一層確実に確保しつつ、破損時における民地側に飛散するガラス片の重量を最小限に抑制することができる。
【実施例】
【００３６】
以下、路側設置用パネル１に用いられる複合ガラス１０に相当するサンプルＡ〜Ｄ及びＦと、比較用に準備したサンプルＥとについて実施した衝撃試験結果について説明する。サンプルＡ〜Ｆを下端が路面高さ１ｍ程度の位置に配置された枠体２０に対して取り付け、網入り板ガラス１４側からパネルの中心位置に、３００ｋｇの鉄球（突起付き）を、加撃位置より鉛直方向９５ｃｍの高さから振り子式に加撃し、鉄球を衝突させることによりサンプルＡ〜Ｆを破損させた場合に飛散するガラス片の重量を計測し、そのうち重量が最大のもの、及びこれに次ぐ重量のものについて記録した。サンプルＡ〜Ｄ及びＦは、鉄球が衝突する正面側（路Ｒ側に相当）に網入り板ガラス１４が向き、背面側（民地側に相当）に板ガラス１２が向くように設置したものである。サンプルＡ〜Ｄは背面側の板ガラス１２が正面側の網入り板ガラス１４より薄いが、サンプルＦの背面側の板ガラス１２は、正面側の網入り板ガラス１４より厚くなっている。また、サンプルＥは、正面側（路Ｒ側に相当）に板ガラス１２が向き、背面側（民地側に相当）に網入り板ガラス１４が向くように設置したものである。サンプルＡ〜Ｆに用いた板ガラス１２及び網入り板ガラス１４の厚みｄ１，ｄ２、及び試験結果は、下記表１の通りであった。
【００３７】
【表１】
2014029109.tif 000003
【００３８】
上記表１の試験結果により、網入り板ガラス１４を鉄球の衝突側（路Ｒ側）に配置し、板ガラス１２を背面側（民地側）に配置したサンプルＡ〜Ｄ、Ｆについては、板ガラス１２を鉄球の衝突側（路Ｒ側）に配置し、網入り板ガラス１４を背面側（民地側）に配置したサンプルＥよりも、総じて飛散したガラス片の最大重量が小さいことが判明した。これにより、路側設置用パネル１のように、網入り板ガラス１４を鉄球の衝突側（路Ｒ側）に配置し、板ガラス１２を背面側（民地側）に配置することにより、民地側に飛散するガラス片の最大重量を抑制することができ、二次的被害の抑制に対して一定の効果が得られることが判明した。さらに、サンプルＡ〜ＤとサンプルＦとを比較すると、複合ガラス１０の網入り板ガラス１４を路Ｒ側に配置し、板ガラス１２を民地側に配置し、板ガラス１２の厚みｄ１を網入り板ガラス１４の厚みｄ２よりも薄いものとすることにより、民地側へのガラス片の飛散に伴う二次的被害を最小限に抑制できることが判明した。また、背面側（民地側）に配置される板ガラス１２を８ｍｍ未満とすることで、民地側へのガラス片の飛散抑制効果が飛躍的に向上し、二次的被害抑制の観点からより一層好ましいことが判明した。
【産業上の利用可能性】
【００３９】
本発明の路側設置用パネルは、一般道あるいは高速道路等の公道、私道、通路、あるいは駐車場等の人や車両が通行する路、あるいは鉄道の道床等に設置することで好適に利用可能である。
【符号の説明】
【００４０】
１  路側設置用パネル
１０  複合ガラス
１２  板ガラス
１４  網入り板ガラス
１６  中間膜
１８  網
２０  枠体
３０  路側壁
【図１】
2014029109.tif 000004
【図２】
2014029109.tif 000005